(57)【特許請求の範囲】
【請求項１】
建物の複数の室の開口部にそれぞれ配置している引違い戸（１）に錠装置（１１）をそれぞれ配置する錠システムであって、
前記各引違い戸（１）の一方の戸（３）に錠装置（１１）の本体（１２）をそれぞれ取り付けており、
各本体（１２）には、各引違い戸（１）の他方の戸（４）にそれぞれ取り付けている受け金具に対して着脱自在に係止されるクレセント（１３）と、そのクレセント（１３）を回転させて前記受け金具から外す開錠手段と、クレセント（１３）の回転を指示する近距離無線信号を受信する受信部（３６）と、その受信部（３６）で前記近距離無線信号を受信したときにクレセント（１３）を回転させる錠制御部（３８）とを有していて、リモコン（３５）からの前記近距離無線信号を受信部（３６）で受信可能になっており、
建物の外に非常スイッチ（４７）を配置していて、その非常スイッチ（４７）には非常制御部（４９）を接続しており、
その非常制御部（４９）には、前記近距離無線信号を送信するための発信部（５０）を有していて、その発信部（５０）は、前記複数の室のいずれかの室の室内に配置しており、
非常制御部（４９）は、非常スイッチ（４７）での操作に応じて前記近距離無線信号を送信するようになっており、
前記建物には、非常スイッチ（４７）での操作に応じて報知を行う警報装置（４８）を設けていることを特徴とする錠システム。
【請求項２】
前記錠装置（１１）の本体（１２）の受信部（３６）は、リモコン（３５）を建物の室内または建物の外部のいずれで操作しても、リモコン（３５）からの前記近距離無線信号を受信可能になっていることを特徴とする請求項１記載の錠システム。
【請求項３】
前記近距離無線信号が赤外線信号であることを特徴とする請求項１または２記載の錠システム。
【発明の詳細な説明】
【技術分野】
【０００１】
本発明は、マンション、一般住宅またはビルディングなどの建物の複数の室の開口部にそれぞれ配置されている引違い戸（引違い窓）を施錠・開錠するための錠システムに関するものである。
【背景技術】
【０００２】
例えばベランダへの出入り口（開口部）に配置されている引違い窓（引違い戸）では、防犯のために、ベランダ側および室内側のガラス戸を閉じ切ったのち、室内側のガラス戸に取り付けたクレセントのレバーを手で掴んで回転させて、ベランダ側のガラス戸に固定した受け具にクレセントを係止させることにより、前記引違い窓を施錠するようになっている。
【０００３】
ところで、火災などの緊急事態が発生した場合においては、消防士などがベランダの出入り口から室内に入って住人などを救出することがある。その場合、前記引違い窓が施錠されていると、前記消防士などは引違い窓のガラス戸を破壊して室内に入らなければならないが、その際にはガラスの破片などが飛び散るために、その破片などが住人などの救出の妨げになる。
【０００４】
その対策としては、例えば特許文献１の錠システムに示すように、前記受け具（クレセント受け）をベランダ側のガラス戸の框にスライド移動可能に固定し、前記緊急事態が発生したときには、建物の外部（ベランダ側）から前記受け具の固定を解除することで、引違い窓のガラス戸を開くことができるようにすることが考えられる。
【先行技術文献】
【特許文献】
【０００５】
【特許文献１】特開２００７−１６２３９７号公報
【発明の概要】
【発明が解決しようとする課題】
【０００６】
ところが、特許文献１の錠システムでは、ベランダ側のガラス戸に対する受け具の固定を解除するのに手間がかかり、引違い窓のガラス戸を迅速に開くことができないといった問題がある。また、特許文献１の錠システムでは、前記受け具の固定を建物の外部から不正に解除することが可能であり、防犯上に問題がある。
【０００７】
本発明は、かかる不都合を解決することを目的とするものであり、火災などの緊急事態に建物の外部からクレセントを回転させて開錠することができながら、不正に開錠することを防止できる錠システムを提供することにある。
【課題を解決するための手段】
【０００８】
本発明は、前記不都合を解決するものである。すなわち本発明は、建物の複数の室の開口部にそれぞれ配置している引違い戸１に錠装置１１をそれぞれ配置する錠システムであって、各引違い戸１の一方の戸３に錠装置１１の本体１２をそれぞれ取り付けており、各本体１２には、各引違い戸１の他方の戸４にそれぞれ取り付けている受け金具に対して着脱自在に係止されるクレセント１３と、そのクレセント１３を回転させて受け金具から外す開錠手段と、クレセント１３の回転を指示する近距離無線信号を受信する受信部３６と、受信部３６で近距離無線信号を受信したときにクレセント１３を回転させる錠制御部３８とを有していて、リモコン３５からの近距離無線信号を受信部３６で受信可能になっており、建物の外に非常スイッチ４７を配置していて、非常スイッチ４７には非常制御部４９を接続しており、非常制御部４９には、近距離無線信号を送信するための発信部５０を有していて、発信部５０は、前記複数の室のいずれかの室の室内に配置しており、非常制御部４９は、非常スイッチ４７での操作に応じて近距離無線信号を送信するようになっていることを特徴とする。
【０００９】
ここでの引違い戸１には、引違い窓や片引き窓なども含まれる。近距離無線信号には、赤外線信号や、超音波信号や、１０ｍ程度の距離までは送信できる微弱な電波信号などが含まれる。非常制御部４９の発信部５０は、建物の複数の室の全ての室内に配置する必要はなく、前記複数の室のうち、少なくとも一つの室の室内に配置すればよい。非常スイッチ４７は、建物の外面（外壁）や、建物の外であって当該建物から離れた箇所に配置するものなどが該当する。非常スイッチ４７には押釦などが該当する。非常制御部４９の発信部５０は、建物の室内側の壁面や、室内であって壁面から離れた箇所に配置するものなどが該当する。
【００１０】
加えて建物には、非常スイッチ４７での操作に応じて報知を行う警報装置４８を設けることができる。警報装置４８には、ベルやブザーや警報用ランプなどが該当する。
【００１１】
具体的には、前記近距離無線信号が赤外線信号であるものとすることができる。
【発明の効果】
【００１２】
本発明の錠システムでは、引違い戸１を施錠している室の住人などがリモコン３５を操作することで、そのリモコン３５から送信された近距離無線信号を、当該リモコン３５を操作した室の錠装置１１の本体１２の受信部３６が受信する。これによってクレセント１３が回転して受け金具から外れ、前記住人などが引違い戸１を開くことができる。
【００１３】
また、引違い戸１を施錠している状態で建物の外の非常スイッチ４７が操作されたときには、非常制御部４９の発信部５０から近距離無線信号が送信され、その発信部５０を配置している室の錠装置１１の本体１２の受信部３６が受信する。すると、クレセント１３が回転して受け金具から外れ、前記発信部５０を配置している室の引違い戸１を開くことができるようになる。これにより、例えば火災が発生した場合に消防士などが非常スイッチ４７を操作して、前記発信部５０を配置している室の引違い戸１を開錠したのち、その引違い戸１を開いて室内に入って住人などを救出することができる。また、前記発信部５０を配置している室の住人などが自ら引違い戸１を開いて避難することができる。
【００１４】
前記近距離無線信号は、非常制御部４９の受信部５０を配置した室の錠装置１１にしか送信されず、他の室に配置した錠装置１１には送信されないので、例えば複数の個室を有する介護施設などにおいて、いたずらや侵入者によって非常スイッチ４７が不正に操作されても一つの室の引違い戸１しか開錠せず、これによって前記いたずらや侵入者によって他の室の引違い戸１までも開錠することを防止することができる。
【００１５】
なお、前記消防士などが、引違い戸１を開錠した室以外の他の室の住人などを救出する場合には、前記引違い戸１を開錠した室に入ったのち、その室から廊下などに出て前記他の室に入ることになる。
【００１６】
非常スイッチ４７での操作に応じて報知を行う警報装置４８を建物に設けていると、その警報装置４８による報知によって、当該建物の住人や周辺の建物の住人などに、火災などの緊急事態であることを知らせることができる。また、前記いたずらや侵入者によって非常スイッチ４７が不正に操作されたときにも警報装置４８による報知が行われるので、このことがいたずらや侵入者に対する抑止力になる。
【００１７】
近距離無線信号が赤外線信号であると、その赤外線信号は指向性がよい分だけ、非常制御部４９の受信部５０を配置した室の錠装置１１にしか送信されない効果をより確実に得ることができる。
【図面の簡単な説明】
【００１８】
【図１】本発明の一実施例の錠システムを配置した引違い窓の正面図である。
【図２】本発明の錠システムに係る錠装置の本体の縦断面図である。
【図３】図２のＡ−Ａ線矢視断面図である。
【図４】本発明の錠システムに係るクレセントの縦断面図である。
【図５】図４のＢ−Ｂ線矢視断面図である。
【図６】クレセント内のカムの作用を説明するための図４の相当図である。
【図７】図４のＣ−Ｃ線矢視断面図である。
【図８】図４のＤ−Ｄ線矢視断面図である。
【図９】錠システムのブロック構成図である。
【図１０】クレセントを開錠した状態を示す図２の相当図である。
【発明を実施するための形態】
【００１９】
本発明に係る錠システムの一実施例を図１ないし図１０に基づいて説明する。本発明の錠システムは、例えば、介護施設などの建物の室内とベランダとを仕切る出入り口（開口部）に配置する引違い窓（引違い戸）をクレセントで施錠するものであり、そのクレセントを、非常釦やリモコンなどで開錠操作できるようになっている。なお、前記建物には複数の室を有しており、各室に配置している前記引違い窓をそれぞれ本発明の錠システムに係るクレセントで施錠できるようになっている。
【００２０】
前記引違い窓１は、図１に示すように、前記出入り口に固定しているアルミニウム製の矩形状の枠２と、前記出入り口を開閉する内外二枚のガラス戸（戸）３・４とを有している。前記枠２は、左右の竪枠２ａ・２ａと、それらの竪枠２ａ・２ａの上端間に掛け渡した上枠２ｂと、竪枠２ａ・２ａの下端間に掛け渡した下枠２ｃとで構成している。
【００２１】
各ガラス戸３・４は、ガラス５をアルミニウム製の矩形状の框６の中に取り付けている。その框６は、左右の縦框６ａ・６ａと、その縦框６ａ・６ａの上端間に掛け渡した上框６ｂと、左右の縦框６ａ・６ａの下端間に掛け渡した下框６ｃとで構成している。各ガラス戸３・４は、枠２の上枠２ｂおよび下枠２ｃに配置した上下のレール（不図示）に沿って左右方向にスライド移動可能になっている。
【００２２】
前記ガラス戸３・４のうち、室内側（内側）となる一方のガラス戸３（図１では右側）には、左側の縦框６ａの左面に本発明に係る錠装置１１の本体１２を取り付けており、ベランダ側（外側）となる他方のガラス戸４（図１では左側）には、右側の縦框６ａであって錠装置１１の本体１２のクレセント１３に対応する位置に、フック状の受け金具（図示せず）を取り付けている（固定している）。両ガラス戸３・４において前記出入り口の左右の端部に位置する縦框６ａ・６ａには、その内側および外側に取っ手９をそれぞれ取り付けている。
【００２３】
錠装置１１の本体１２には、図２および図３に示すように、前記受け金具に対して着脱自在に係止される前記クレセント１３と、そのクレセント１３を回転自在に支持しているとともに本体１２のベース２０に回転自在に支持されている円筒形状のギヤ１４と、クレセント１３が前記受け金具から外れる開錠方向（図２では時計回り方向）にギヤ１４を付勢する付勢部１５と、ギヤ１４を回転不能にロックするギヤロック部１６と、そのギヤロック部１６によるロックを解除する解除部１７とを有している。本体１２のベース２０は、一方のガラス戸３の左側の縦框６ａにビスなどで取り付けている。本体１２のベース２０および各部は、外装カバー２１で覆われている。付勢部１５と解除部１７とによって開錠手段を構成している。
【００２４】
クレセント１３は、図４および図５に示すように、円筒形状の軸部１３ａと、その軸部１３ａから外方へ延びているレバー１３ｂと、軸部１３ａの外周面から突出していて前記受け金具に係止される扇形状の係止部１３ｃと、レバー１３ｂに配置しているクレセントロック部１９とを有している。ギヤ１４は、クレセント１３の軸部１３ａに内嵌する円筒形状の筒部１４ａと、付勢部１５のラック１５ａ（図２）が噛合するギヤ体１４ｂとを有している。ギヤ１４の筒部１４ａは、錠装置１１の本体１２のベース２０に固定している円柱形状の軸３２に対して回転自在に外嵌している。ギヤ体１４ｂは、筒部１４ａよりもベース２０側に位置している。
【００２５】
付勢部１５は、図２および図３に示すように、上下方向に延びる角棒形状の前記ラック１５ａと、そのラック１５ａに一端（図２では上側）を接続しているコイルバネ１５ｂとを有している。前記ラック１５ａは、ギヤ１４のギヤ体１４ｂに噛合する歯１５ｃをラック１５ａの長さ方向（上下方向）に並べている。コイルバネ１５ｂの他端は本体１２のベース２０に取り付けている。ギヤロック部１６は、付勢部１５のラック１５ａの上端部に形成している切り欠き１５ｄに噛合する位置（図２の位置）とラック１５ａから離れる所定の解除位置（図２では左側）との間でスライド移動（図２では左右方向）する爪１６ａと、その爪１６ａをラック１５ａ側へ付勢するコイルバネ１６ｂとを有している。ギヤロック部１６の爪１６ａの先端面は、ギヤ１４側（下側）へ向かうに従って後方（図２では左方向）となるように傾斜している。
【００２６】
解除部１７は、後述する錠制御部３８によって制御されるモータ１７ａと、そのモータ１７ａの出力軸に減速装置を介して連結しているカム１７ｂと、そのカム１７ｂに一端部（図２では上側）が当接して当該カム１７ｂによって揺動駆動されるアーム１７ｃとを有している。アーム１７ｃは、その上下中間を揺動軸１０によってベース２０に揺動自在に支持されている。そのアーム１７ｃの他端部（図２では下側）は、ギヤロック部１６の爪１６ａに設けているピン１６ｃに当接しており、ギヤロック部１６のコイルバネ１６ｂの付勢力によって付勢部１５のラック１５ａ側へ押されている。これによってアーム１７ｃの一端部が解除部１７のカム１７ｂに押し付けられる。
【００２７】
クレセントロック部１９は、図４および図５に示すように、クレセント１３のレバー１３ｂ内に配置していて、レバー１３ｂの長さ方向（図４では上下方向）へスライド移動可能なロッド１９ａと、ロッド１９ａのスライド移動を規制する規制部２３と、ロッド１９ａをギヤ１４の筒部１４ａ側へ付勢するコイルバネ２４とを有している。クレセントロック部１９のロッド１９ａの端部（図４では下側）は、ギヤ１４の筒部１４ａの外周面に形成している溝状の係留部１４ｃに係留（嵌合）可能になっている。
【００２８】
クレセントロック部１９の規制部２３は、クレセントロック部１９のロッド１９ａに形成している切り欠き２７内に位置しているカム２５と、そのカム２５に連結していてカム２５を回転させるための頭部２６とを有している。カム２５は、クレセント１３のレバー１３ｂの内面に回転自在に支持されている。頭部２６は、レバー１３ｂ外（図５では左側）に露出しており、その露出面に、例えば十円硬貨の厚み寸法より０．５ｍｍ程度だけ大きい幅の溝２６ａを形成している。その溝２６ａに十円硬貨などを差し込んで頭部２６を回転させることができる。頭部２６とカム２５とは、円柱形状のピン２６ｂで連結している。
【００２９】
規制部２３のカム２５は、図４に示すように、カム山２５ａをロッド１９ａのスライド移動方向と直交する方向に向けると、ロッド１９ａがコイルバネ２４の付勢力によってレバー１３ｂの基端側（図４では下側）に押される。その状態で、例えばクレセント１３が回転されて、ロッド１９ａの前記端部がギヤ１４の筒部１４ａの係留部１４ｃに臨むと、当該ロッド１９ａの端部がギヤ１４の係留部１４ｃに嵌まり込んで係留される。その係留状態でクレセント１３とギヤ１４とが一体化して回転可能になっている。
【００３０】
また、規制部２３のカム２５は、図６に示すように、カム山２５ａをレバー１３ｂの先端側（図６では上側）に向けると、そのカム山２５ａによってロッド１９ａの切り欠き２７のレバー１３ｂの先端側の縁２７ａがレバー１３ｂの先端側へ押される。これにより、前記レバー１３ｂがコイルバネ２４の付勢力に抗してギヤ１４の係留部１４ｃから外れ、その結果、クレセント１３を手動で自由に回転させることができる。その手動での回転の際には、ギヤ１４や付勢部１５の付勢力などが抵抗にならず、クレセント１３を軽い力で回転させることができる。
【００３１】
なお、クレセント１３のロッド１９ａのスライド移動可能な範囲は、クレセント１３のレバー１３ｂに設けている突起２９がロッド１９ａに形成している切り欠き２８内に位置することによって規制される。
【００３２】
ギヤ１４の筒部１４ａの外周の端部（図４では右側）には、図７に示すように、周方向に延びる扇形状の突起１４ｄを形成している。その突起１４ｄは、クレセント１３の軸部１３ａの端面（図４では右側）からベース２０側へ突出していて周方向に延びる扇形状の突起１３ｅに当接可能になっている。クレセント１３の突起１３ｅの周方向の寸法は、ギヤ１４の突起１４ｄの周方向の寸法よりも大きくなっている。クレセント１３の回転に伴ってクレセント１３の突起１３ｅがギヤ１４の突起１４ｄに当接したときには、クレセント１３の回転にギヤ１４が同行回転し、またギヤ１４の回転に伴ってギヤ１４の突起１４ｄがクレセント１３の突起１３ｅに当接したときには、ギヤ１４の回転にクレセント１３が同行回転するようになっている。
【００３３】
錠装置１１の本体１２のベース２０には、図８に示すように、前記軸３２の外周面に沿って扇形状に延びる突起３０を形成しており、その突起３０は、ギヤ１４のギヤ体１４ｂの端面（図４では右端）に形成していてギヤ体１４ｂの周方向に延びる扇形状の凹部３１に入り込んでいる。そして、ギヤ１４の凹部３１の周方向の縁がベース２０の突起３０に当接することで、ギヤ１４の回転範囲が規制される。ギヤ体１４ｂの凹部３１の周方向の寸法は、ベース２０の突起３０の周方向の寸法よりも大きくなっている。
【００３４】
錠装置１１の本体１２には、クレセント１３が過度の速度で回転しないように減速手段を有している。その減速手段は、図２に示すように、付勢部１５のラック１５ａから横方向（図２では左方向）へ延びる延出部３３と、その延出部３３の下方に位置するショックアブソーバー３４とを有している。そして、コイルバネ１５ｂの引っ張り力（付勢力）によってラック１５ａが下方向にスライド移動する際に、ラック１５ａの延出部３３がショックアブソーバー３４に受け止められることによって、当該ラック１５ａの移動速度が減速される。これに伴ってギヤ１４の回転が減速し、そのギヤ１４に同行回転するクレセント１３の回転も減速する。
【００３５】
錠装置１１の本体１２には、受け金具に係止されているクレセント１３を回転させて、当該クレセント１３を受け金具から外させるための手段を有している。すなわち、本体１２には、図９に示すように、無線式のリモコン３５や非常制御部４９からの赤外線信号（近距離無線信号）を受信（受光）する受光部（受信部）３６と、受光部３６で前記赤外線信号を受信したときに、その信号に応じて解除部１７のモータ１７ａを作動させてクレセント１３を回転させる錠制御部３８とを有している。
【００３６】
また本体１２には、ギヤロック部１６の爪１６ａが付勢部１５のラック１５ａから離れる解除位置になる回転角度まで解除部１７のカム１７ｂが回転したことを検知するリミットスイッチ３９（図２）を有している。錠制御部３８は、前記リミットスイッチ３９によって前記回転角度までカム１７ｂが回転したことを検知するとモータ１７ａを停止する。本体１２には、一次電池や二次電池などからなる電源用の電池４０（図２）を内蔵している。
【００３７】
錠装置１１の本体１２の外装カバー２１の室内側およびベランダ側となる面には、図２および図３に示すように、リモコン３５や非常制御部４９からの赤外線信号を本体１２内に導くための受光窓５３をそれぞれ形成している。このように、本体１２の室内側およびベランダ側に受光窓５３をそれぞれ形成したので、室内およびベランダのいずれかでリモコン３５を操作しても、そのリモコン３５からの赤外線信号が受光窓５３を介して受光部３６に受信される。各受光窓５３には、赤外線のみが透過可能な樹脂材５４を配置している。
【００３８】
リモコン３５には、図９に示すように、赤外線信号を送信（発光）する発光部４１と、ギヤ１４を回転させてクレセント１３を受け金具から外す旨の赤外線信号を送信させるための押ボタン４３と、前記押ボタン４３の操作に応じて前記赤外線信号を送信させるリモコン制御部４５とを有している。リモコン３５には、電源用の電池（一次電池や二次電池）を内蔵している。
【００３９】
引違い窓１の近傍であって建物のベランダ側となる外面には、図１および図９に示すように、非常釦（非常スイッチ）４７と警報装置４８とを配置している。その非常釦４７と警報装置４８とは、非常釦４７の近傍に配置している非常制御部４９に接続しており、非常制御部４９には、錠装置１１の本体１２のギヤ１４を回転させてクレセント１３を受け金具から外す旨の赤外線信号を送信する発光部（発信部）５０を有している。その非常制御部４９の発光部５０は、例えば建物の室内側の壁面に配置しており、当該非常制御部４９の発光部５０から送信された赤外線信号は、その発光部５０を配置している室の錠装置１１の本体１２のみに受信される。
【００４０】
また、非常制御部４９は、非常釦４７が押された場合（操作された場合）に警報装置４８による報知を行う。例えば警報装置４８がベルの場合には、そのベルを鳴らして報知する。非常制御部４７および警報装置４８は、商用電源（ＡＣ１００Ｖなど）または電池（一次電池または二次電池）によって駆動される。警報装置４８は、ブザーなどであってもよく、またベルやブザーでの報知とともに警報用のランプを点灯（または点滅）させてもよい。
【００４１】
錠装置１１の動作を説明する。まず、施錠された引違い窓１を非常釦４７またはリモコン３５で開錠する場合について説明する。その場合の引違い窓１は、以下のようにして施錠している。すなわち、クレセント１３の規制部２３の頭部２６を回して、規制部２３のカム２５のカム山２５ａをロッド１９ａのスライド移動方向と直交する方向に向け（図４の状態）、次いでクレセント１３のレバー１３ｂを手で掴んで施錠方向へ回転（図１０では反時計方向）させる。
【００４２】
すると、そのクレセント１３の回転により、クレセント１３のクレセントロック部１９のロッド１９ａがギヤ１４の筒部１４ａの係留部１４ｃに嵌まり込んで係留され、それによってギヤ１４がクレセント１３と同方向（施錠方向）へ回転（同行回転）する。そのギヤ１４の回転によって付勢部１５のラック１５ａが上方へスライド移動し、それに伴ってコイルバネ１５ｂが上方へ引っ張られる。そして、レバー１３ｂが上下方向に沿う姿勢（図３の姿勢）までクレセント１３を回転させることで、クレセント１３の係止部１３ｃが受け金具に係止されるとともに（施錠状態）、ラック１５ａの切り欠き１５ｄにギヤロック部１６の爪１６ａが係合する（図２の状態）。これによってラック１５ａが移動不能になって、そのラック１５ａに噛合するギヤ１４がロックされる（回転不能になる）。
【００４３】
前記施錠状態で、例えば非常釦４７が押されて、非常制御部４９の発光部５０から赤外線信号が送信され、その赤外線信号を錠装置１１の本体１２の受光部３６が受信（受光）すると、解除部１７のモータ１７ａが駆動されてカム１７ｂが回転する。そのカム１７ｂの回転によってアーム１７ｃの一端部が時計方向（図２では右方向）へ押され、アーム１７ｃの他端部が、ギヤロック部１６の爪１６ａのピン１６ｃをコイルバネ１６ｂの付勢力に抗して付勢部１５のラック１５ａから離れる方向（図２では左方向）へ押す。
【００４４】
これにより、ギヤロック部１６の爪１６ａが、付勢部１５のラック１５ａから離れる解除位置にスライド移動してラック１５ａの切り欠き１５ｄから外れ、ギヤロック部１６によるギヤ１４のロックが解除されて、コイルバネ１５ｂの付勢力によってラック１５ａが下方へ引っ張られる。すると、ギヤ１４がクレセント１３を受け金具から外れる開錠方向（図２の時計方向）へ回転し、そのギヤ１４にクレセント１３が同行回転する。その結果、クレセント１３の係止部１３ｃが受け金具から外れて、引違い窓１が開錠される（図１０の状態）。その際、警報装置４８による報知も同時に行われる。
【００４５】
また、前記施錠状態で、例えばリモコン３５の押ボタン４３が押されて、リモコン３５から赤外線信号が送信され、その赤外線信号を錠装置１１の本体１２の受光部３６が受信すると、解除部１７のモータ１７ａが駆動されて、ギヤ１４が前記開錠方向へ回転し、クレセント１３の係止部１３ｃが受け金具から外れて引違い窓１が開錠される。
【００４６】
また、引違い窓１を手動で施錠および開錠する場合には、クレセント１３の規制部２３の頭部２６を回して、規制部２３のカム２５をクレセント１３のレバー１３ｂの先端側に向ける（図６の状態）。これにより、クレセント１３のレバー１３ｂがギヤ１４の係留部１４ｃから外れ、クレセント１３を手動で回転させて引違い窓１を施錠または開錠することができる。
【００４７】
このように、非常釦４７を押したときには、それに伴ってクレセント１３が回転して開錠するので、例えば複数の個室を有する介護施設などにおいて火災が発生した場合に、消防士などが非常釦４７を押すことで、前記非常制御部４９の発光部５０を配置している室の引違い戸１が自動的に開錠する。これにより、前記消防士などは、その引違い戸１を開いて室内に入って住人などを救出することができる。また引違い戸１が自動的に開錠したのちに、住人などが自ら引違い戸１を開いて避難することができる。なお、前記消防士などが、引違い戸１を開錠した室以外の他の室の住人などを救出する場合には、前記引違い戸１を開錠した室に入ったのち、その室から廊下などに出てから前記他の室に入って、当該室の住人などを救出することができる。
【００４８】
前記赤外線信号は、非常制御部４９の受信部５０を配置した室の錠装置１１にしか送信されず、他の室に配置した錠装置１１には送信されないので、非常制御部４９の受信部５０を配置した室の引違い戸１しか開錠しない。従って、いたずらや不正な侵入者によって非常釦４７を押されても一つの室の引違い戸１しか開錠せず、これによって前記いたずらや侵入者によって他の室の引違い戸１までも開錠することを防止できる。
【００４９】
加えて警報装置４８による報知が行われることで、当該建物の住人や周辺の建物の住人などに、火災などの非常事態であることを知らせることができる。また、いたずらや不正な侵入者によって非常釦４７が押されたときにも警報装置４８による報知が行われるので、このことがいたずらや不正な侵入者に対する抑止力になる。なお、各室の住人などは、リモコン３５を操作することで自己の室の引違い窓１を開錠することができる。
【００５０】
また、クレセント１３のカム２５のカム山２５ａをロッド１９ａのスライド移動方向と直交する方向に向けた状態で、クレセント１３を回転させてクレセント１３の係止部１３ｃを受け金具に係止させたときには、クレセント１３のロッド１９ａがギヤ１４の係留部１４ｃに係留されるとともにギヤ１４がロックされるので、例えば侵入者が外部からガラス戸の一部を破壊したのち、その破壊部分から手を室内に差し込んでもクレセント１３を回転させることができず、その分だけ防犯性が高まる。
【００５１】
錠装置１１の本体１２には、モータ１７ａの作動時に点灯するＬＥＤ５１（図９）と、内蔵ブザー５２（図９）とを配置している。錠装置１１の本体１２の錠制御部３８は、例えば電池が容量不足になったときに前記ＬＥＤ５１の点滅や内蔵ブザー５２の作動などによってその旨を報知することができる。錠制御部３８は、所定時間（例えば数秒）ごとにしか作動しないようになっており、リモコン３５および非常制御部４９は、錠制御部３８の作動停止時間よりも長い時間、前記赤外線信号を送信するようになっている。錠制御部３８を所定時間ごとにしか作動しないようにしたことで、本体１２での消費電力が抑えられる。
【００５２】
前記説明では、モータ１７ａや電池４０などをクレセント１３の上側に配置したが、モータ１７ａや電池４０などをクレセント１３の下側に配置してもよい。また、クレセント１３を回転させて受け金具から外す開錠手段としては、前記説明のもの以外の構成であってもよい。すなわち、例えばクレセント１３をモータなどで直接、回転駆動するものであってもよい。
【符号の説明】
【００５３】
１  引違い窓
３  一方のガラス戸
４  他方のガラス戸
１１  錠装置
１２  本体
３５  リモコン
３６  受光部
３８  錠制御部
４７  非常釦
４８  警報装置
４９  非常制御部
５０  発光部
【図１】
0005992687.tif 000002
【図２】
0005992687.tif 000003
【図３】
0005992687.tif 000004
【図４】
0005992687.tif 000005
【図５】
0005992687.tif 000006
【図６】
0005992687.tif 000007
【図７】
0005992687.tif 000008
【図８】
0005992687.tif 000009
【図９】
0005992687.tif 000010
【図１０】
0005992687.tif 000011